(57)【特許請求の範囲】
【請求項１】
携帯用端末機における音量を調節するための装置において、
周辺の騒音の程度を判断するのに使用する情報である騒音判断情報を収集する情報収集部と、
収集した前記騒音判断情報を利用して周辺の騒音を予測し、該予測した周辺の騒音に基づいて制御情報を確認し、前記制御情報によって音量を調節し、使用者による音量調節の要請を感知し、前記音量調節の要請に対応して調節された音量を追加調節し、追加調節された音量を適用して周辺の騒音に対応する制御情報を更新する音量制御部とを有し、
前記情報収集部は、前記携帯用端末機のマイクを動作させて周辺で発生する騒音の情報を収集する周辺騒音収集部と、
ＧＰＳ情報及び基地局を介して受信する情報を利用して前記携帯用端末機の現在位置情報及び前記携帯用端末機の移動速度の情報を取得する位置情報収集部を含み、
気象情報を提供するサーバー又は気象情報を提供するアプリケーションを通じて前記現在位置情報に対する天気情報を取得する天気情報収集部と、
前記携帯用端末機が車両に位置している場合、前記携帯用端末機は前記車両と通信し、前記車両で使用する燃料、車両の年式、車両の種類、及び前記車両で動作する機能の内の少なくとも１つの情報を取得する車両情報収集部の内の少なくとも１つ以上をさらに含み、
これら取得した情報を前記騒音判断情報とすることを特徴とする携帯用端末機における音量を調節するための装置。
【請求項２】
前記音量制御部は、前記予測した周辺の騒音に基づいて音量を調節した後、周辺の騒音が除去された状態か否かを確認し、周辺の騒音が除去された状態である場合、前記調節した音量を復元させることを特徴とする請求項１に記載の携帯用端末機における音量を調節するための装置。
【請求項３】
前記音量制御部は、音量調節が可能な項目を同時に調節するか、又は現在実行中の機能に対する音量を調節することを特徴とする請求項１に記載の携帯用端末機における音量を調節するための装置。
【請求項４】
携帯用端末機における音量を調節するための方法において、
周辺の騒音の程度を判断するのに使用する情報である騒音判断情報を収集する段階と、
収集した前記騒音判断情報を利用して周辺の騒音を予測する段階と、
前記周囲の騒音に対応する制御情報を確認する段階と、
前記制御情報によって音量を調節する段階と、
使用者による音量調節の要請を感知する段階と、
前記音量調節の要請に対応して音量を追加調節する段階と、
前記追加調節された音量を適用して、前記周囲の騒音に対応する前記制御情報を更新するステップと、を有し、
前記騒音判断情報は、前記携帯用端末機のマイクを動作させて収集する周辺で発生する騒音の情報と、
ＧＰＳ情報及び基地局を介して受信する情報を利用して取得する前記携帯用端末機の現在位置情報及び前記携帯用端末機の移動速度の情報を含み、
更に、気象情報を提供するサーバー又は気象情報を提供するアプリケーションを通じて取得する前記現在位置情報に対する天気情報と、
前記携帯用端末機が車両に位置している場合、前記携帯用端末機は前記車両と通信し、前記車両で使用する燃料、車両の年式、車両の種類、及び前記車両で動作する機能の内の少なくとも１つの情報を含む車両情報の内の少なくとも１つ以上をさらに含むことを特徴とする携帯用端末機における音量を調節するための方法。
【請求項５】
前記予測した周辺の騒音に基づいて音量を調節した後、周辺の騒音が除去された状態か否かを確認する段階と、
周辺の騒音が除去された状態である場合、前記調節した音量を復元させる段階とをさらに有することを特徴とする請求項４に記載の携帯用端末機における音量を調節するための方法。
【請求項６】
前記予測した周辺の騒音に基づいて音量を調節する段階は、音量調節が可能な項目を同時に調節する段階と、
現在実行中の機能に対する音量を調節する段階とのうち少なくともいずれか一つの段階を含むことを特徴とする請求項４に記載の携帯用端末機における音量を調節するための方法。
【請求項７】
一つ以上のプロセッサと、
メモリーと、
前記メモリーに貯蔵され、前記一つ以上のプロセッサによって実行されるよう構成される一つ以上のモジュールを含む電子装置であり、
前記モジュールは、周辺の騒音の程度を判断するのに使用する情報である騒音判断情報を収集し、
収集した前記騒音判断情報を利用して周辺の騒音を予測し、
前記周囲の騒音に対応する制御情報を確認し、
前記制御情報に基づいて音量を調節し、
使用者による音量調節の要請を感知し、
前記音量調節の要請に対応して音量を追加調節し、
前記追加調節された音量を適用して、前記周囲の騒音に対応する前記制御情報を更新し、
前記モジュールが収集する前記騒音判断情報は、前記電子装置のマイクを動作させて収集する周辺で発生する騒音の情報と、
ＧＰＳ情報及び基地局を介して受信する情報を利用して取得する前記電子装置の現在位置情報及び前記電子装置の移動速度の情報を含み、
更に、気象情報を提供するサーバー又は気象情報を提供するアプリケーションを通じて取得する前記現在位置情報に対する天気情報と、
前記電子装置が車両に位置している場合、前記電子装置は前記車両と通信し、前記車両で使用する燃料、車両の年式、車両の種類、及び前記車両で動作する機能の内の少なくとも１つの情報を含む車両情報の内の少なくとも１つ以上をさらに含むことを特徴とする電子装置。
【請求項８】
前記モジュールは、前記予測した周辺の騒音に基づいて音量を調節した後、周辺の騒音が除去された状態である場合、前記調節した音量を復元させることを特徴とする請求項７に記載の電子装置。
【発明の詳細な説明】
【技術分野】
【０００１】
本発明は、携帯用端末機の音量を調節するための装置及びその方法に関し、特に周辺の騒音によって自動的に音量を調節するための装置及びその方法に関するものである。
【背景技術】
【０００２】
近年、携帯用端末機の急激な発達によって、特に無線音声通話及び情報交換が可能な携帯用端末機は生活必需品となっている。
携帯用端末機の普及初期は単純に携帯が可能で無線通話ができるものとして認識されていたが、その技術が発達するに連れ、無線インターネットの導入によって携帯用端末機は単純な電話通話又はスケジュール管理などの目的だけでなく、ゲーム、近距離通信を利用したリモコン、装着されたデジタルカメラによるイメージ撮影のように、その活用範囲が次第に大きくなっており、使用者の欲求を充足している。
【０００３】
製造者は更に多くの付加機能を提供する携帯用端末機を発売しており、それに加えて本来の機能である無線通話機能のために通話音質を改善して使用者に提供すべきである。
なぜならば、使用者は多様な環境で携帯用端末機を利用して通話を行い、環境によって実際に使用者が感じる通話品質に大きな差があるためである。
例えば、使用者が周辺の雑音が激しい環境で通話を行う場合、音声信号に対する明瞭度が低下して通話品質が低くなるのを感じるようになる。
【０００４】
よって、使用者は携帯用端末機の通話音量を高めて通話品質を向上させなければならない。この際、使用者は携帯用端末機の外部に具備されているボリュームキーを操作して通話音量を高めるが、これは端末機の使用に不便さを与えるという問題がある。
加えて、使用者が車両を運転する途中ボリュームを調節する場合、事故の危険性が発生するということが問題点として残る。
従って、上記のような問題点を解決するために、携帯用端末機における周辺状況によって音量を自動的に調節するための装置及びその方法が要求される。
【先行技術文献】
【特許文献】
【０００５】
【特許文献１】韓国特許第１０−０９１７１８８号明細書
【発明の概要】
【発明が解決しようとする課題】
【０００６】
そこで、本発明は上記従来の携帯用端末機における問題点に鑑みてなされたものであって、本発明の目的は、携帯用端末機における周辺の騒音によって自動的に音量を調節するための装置及びその方法を提供することにある。
本発明の他の目的は、携帯用端末機における車両の状態及び種類によって自動的に音量を調節するための装置及びその方法を提供することにある。
本発明の更に他の目的は、携帯用端末機における気象情報によって自動的に音量を調節するための装置及びその方法を提供することにある。
本発明の更に他の目的は、携帯用端末機における移動速度によって自動的に音量を調節するための装置及びその方法を提供することにある。
【課題を解決するための手段】
【０００７】
上記目的を達成するためになされた本発明による携帯用端末機における音量を調節するための装置は、携帯用端末機における音量を調節するための装置において、周辺の騒音の程度を判断するのに使用する情報である騒音判断情報を収集する情報収集部と、収集した前記騒音判断情報を利用して周辺の騒音を予測し、該予測した周辺の騒音をもとに制御情報を確認して前記制御情報に基づいて音量を調節し、使用者による音量調節の要求を検出して前記音量調節の要求に対応して調節された音量を追加調節し、追加調節された音量を適用して、周辺の騒音に対応する制御情報を更新する音量制御部とを有し、前記情報収集部は、前記携帯用端末機のマイクを動作させて周辺で発生する騒音の情報を収集する周辺騒音収集部と、ＧＰＳ情報及び基地局を介して受信する情報を利用して前記携帯用端末機の現在位置情報及び前記携帯用端末機の移動速度の情報を取得する位置情報収集部を含み、気象情報を提供するサーバー又は気象情報を提供するアプリケーションを通じて前記現在位置情報に対する天気情報を取得する天気情報収集部と、前記携帯用端末機が車両に位置している場合、前記携帯用端末機は前記車両と通信し、前記車両で使用する燃料、車両の年式、車両の種類、及び前記車両で動作する機能の内の少なくとも１つの情報を取得する車両情報収集部の内の少なくとも１つ以上をさらに含み、これら取得した情報を前記騒音判断情報とすることを特徴とする。
【０００８】
上記目的を達成するためになされた本発明による携帯用端末機における音量を調節するための方法は、携帯用端末機における音量を調節するための方法において、周辺の騒音の程度を判断するのに使用する情報である騒音判断情報を収集する段階と、収集した前記騒音判断情報を利用して周辺の騒音を予測する段階と、前記周囲の騒音に対応する制御情報を確認する段階と、前記予測した周辺の騒音に応じた前記制御情報に基づいて音量を調節する段階と、使用者による音量調節の要求を検出する段階と、前記音量調節の要求に対応して音量を追加調節する段階と、前記追加調節された音量を適用して、前記周囲の騒音に対応する前記制御情報を更新するステップと、を有し、前記騒音判断情報は、前記携帯用端末機のマイクを動作させて収集する周辺で発生する騒音の情報と、ＧＰＳ情報及び基地局を介して受信する情報を利用して取得する前記携帯用端末機の現在位置情報及び前記携帯用端末機の移動速度の情報を含み、更に、気象情報を提供するサーバー又は気象情報を提供するアプリケーションを通じて取得する前記現在位置情報に対する天気情報と、前記携帯用端末機が車両に位置している場合、前記携帯用端末機は前記車両と通信し、前記車両で使用する燃料、車両の年式、車両の種類、及び前記車両で動作する機能の内の少なくとも１つの情報を含む車両情報の内の少なくとも１つ以上をさらに含むことを特徴とする。
【０００９】
上記目的を達成するためになされた本発明による電子装置は、一つ以上のプロセッサと、メモリーと、前記メモリーに貯蔵され、前記一つ以上のプロセッサによって実行されるよう構成される一つ以上のモジュールを含む電子装置であり、前記モジュールは、周辺の騒音の程度を判断するのに使用する情報である騒音判断情報を収集し、収集した前記騒音判断情報を利用して周辺の騒音を予測し、前記周囲の騒音に対応する制御情報を確認して、前記予測された周囲の騒音に応じた前記制御情報に基づいて音量を調節して、使用者による音量調節の要求を検出し、前記音量調節の要求に対応して音量を追加調節し、前記追加調節された音量を適用して、前記周囲の騒音に対応する前記制御情報を更新し、前記モジュールが収集する前記騒音判断情報は、前記電子装置のマイクを動作させて収集する周辺で発生する騒音の情報と、ＧＰＳ情報及び基地局を介して受信する情報を利用して取得する前記電子装置の現在位置情報及び前記電子装置の移動速度の情報を含み、更に、気象情報を提供するサーバー又は気象情報を提供するアプリケーションを通じて取得する前記現在位置情報に対する天気情報と、前記電子装置が車両に位置している場合、前記電子装置は前記車両と通信し、前記車両で使用する燃料、車両の年式、車両の種類、及び前記車両で動作する機能の内の少なくとも１つの情報を含む車両情報の内の少なくとも１つ以上をさらに含むことを特徴とする。
【発明の効果】
【００１０】
本発明に係る携帯用端末機における音量を調節するための装置及びその方法並びに電子装置によれば、相手使用者の音声信号等の音声を明確に聴取するために周辺の騒音の発生程度によって自動的に音量を調節し、周辺の雑音に関係なく出力音を明確に聴取し得るという効果がある。
【図面の簡単な説明】
【００１１】
【図１】本発明による周辺の騒音によって自動的に音量を調節する携帯用端末機の構成を示すブロック図である。
【図２】本発明の一実施形態による携帯用端末機におけるすでに設定されている音量を周辺の騒音によって調節するための工程を説明するためのフローチャートである。
【図３】本発明の他の実施形態による携帯用端末機におけるすでに設定されている音量を周辺の騒音によって調節するための工程を説明するためのフローチャートである。
【図４】本発明の好ましい更に他の実施形態による携帯用端末機におけるすでに設定されている音量を周辺の騒音によって調節するための工程を説明するためのフローチャートである。
【図５】本発明の一実施形態による携帯用端末機におけるすでに設定されている音量を周辺の騒音によって調節するための工程を示す図である。
【図６】本発明の好ましい他の実施形態による携帯用端末機におけるすでに設定されている音量を周辺の騒音によって調節するための工程を示す図である。
【図７】本発明の好ましい更に他の実施形態による携帯用端末機におけるすでに設定されている音量を周辺の騒音によって調節するための工程を示す図である。
【図８】本発明の好ましい更に他の実施形態による携帯用端末機におけるすでに設定されている音量を周辺の騒音によって調節するための工程を示す図である。
【図９】本発明の好ましい更に他の実施形態による携帯用端末機におけるすでに設定されている音量を周辺の騒音によって調節するための工程を示す図である。
【発明を実施するための形態】
【００１２】
次に、本発明に係る携帯用端末機における音量を調節するための装置及びその方法並びに電子装置を実施するための形態の具体例を図面を参照しながら説明する。
【００１３】
本発明を説明するに当たって、関連する公知機能或いは構成に対する具体的な説明が本発明の要旨を不明確にする恐れがあると判断される場合には、その詳細な説明を省略する。
【００１４】
以下、本発明による携帯用端末機において、車両の状態、種類、気象情報、移動速度を利用して周辺の騒音を把握し、周辺の騒音によって自動的に音量を調節するための装置及びその方法について説明する。
加えて、携帯用端末機とは携帯用電子装置（ｐｏｒｔａｂｌｅ  ｅｌｅｃｔｒｏｎｉｃ  ｄｅｖｉｃｅ）を意味するものであり、携帯電話（ｍｏｂｉｌｅ  ｐｈｏｎｅ）、メディアプレイヤー（ｍｅｄｉａ  ｐｌａｙｅｒ）、タブレットコンピュータ（ｔａｂｌｅｔ  ｃｏｍｐｕｔｅｒ）、ハンドヘルドコンピュータ（ｈａｎｄｈｅｌｄ  ｃｏｍｐｕｔｅｒ）又はＰＤＡ（Ｐｅｒｓｏｎａｌ  Ｄｉｇｉｔａｌ  Ａｓｓｉｓｔａｎｔ）のような装置であってもよい。また、このような装置のうち２つ以上の機能を結合した装置を含む任意の携帯用電子装置であってもよい。
【００１５】
図１は、本発明による周辺の騒音によって自動的に音量を調節する携帯用端末機の構成を示すブロック図である。
図１を参照すると、携帯用端末機は、制御部１００、情報収集部１０２、音量制御部１１２、メモリー部１１４、入力部１１８、表示部１２０、及び通信部１２２を含んで構成される。加えて、情報収集部１０２は、天気情報収集部１０４、車両情報収集部１０６、周辺騒音収集部１０８、位置情報収集部１１０を含んでもよく、メモリー部１１４は制御情報１１６を貯蔵してもよい。
【００１６】
まず、携帯用端末機の制御部１００は、携帯用端末機の全般的な動作を制御する。
例えば、音声通話及びデータ通信のための処理及び制御を行い、通常的な機能に加え、本発明によって制御部１００は端末機周辺で発生する騒音を予測し、予測結果によって音量を調節するように処理する。
加えて、制御部１００は周辺で発生する騒音が除去される場合、調節された音量を復元させるよう処理する。
【００１７】
情報収集部１０２は、制御部１００の制御を受けて周辺の騒音の程度を予測するのに使用する情報である騒音判断情報を収集し、音量制御部１１２に提供する。
この時、情報収集部１０２が収集する騒音判断情報は、周辺の騒音の判断に使用するための情報であり、天気情報、車両状態、種類、移動速度などを収集する。
【００１８】
天気情報収集部１０４は、気象情報を提供するサーバー又は気象情報を提供するアプリケーションを通じで現在位置に対する天気情報を取得する。
車両情報収集部１０６は、使用者が搭乗した車両と通信し、搭乗車両で使用する燃料、車両の年式、車両の種類などの情報を取得する。
加えて、車両情報収集部１０６は、使用者が搭乗した車両と通信し、搭乗車両で動作する機能に対する情報を取得する。
周辺騒音収集部１０８は、マイクを動作させて周辺で発生する騒音の情報を収集する。
位置情報収集部１１０は、ＧＰＳ情報を利用して端末機の移動速度の情報を取得する。
加えて、位置情報収集部１１０は、基地局を介して受信する情報を利用して端末機の移動速度の情報を取得し得る。
【００１９】
音量制御部１１２は、制御部１００の制御を受けて周辺の騒音を予測し、予測した周辺の騒音に該当する音量を把握して端末機から出力されるオーディオに対する音量を調節する。
即ち、音量制御部１１２は、制御部１００によって周辺に騒音が発生している状態であると把握した場合、すでに設定されている音量の大きさを増加させ、周辺の騒音が除去された状態になった場合、調節された音量を復元させることができ、天気情報、車両情報、移動速度などを利用して周辺の騒音を予測し得る。
【００２０】
この時、音量制御部１１２は、予測した周辺の騒音とメモリ部１１４に貯蔵された制御情報１１６とを比較して現在の騒音に合う音量に調節し、周辺で発生する騒音が除去された状態になった場合、調節された音量を復元させるよう処理する。
加えて、音量制御部１１２は、周辺の騒音に対応する音量に調節した後、使用者による音量調節要請が発生した場合、携帯用端末機は使用者に要請に応じて音量を調整する。
次に、音量制御部１１２は、使用者によって調節された音量に対応する情報を制御情報１１６に反映し、今後同じ条件で音量を調節する際、使用者の要請が反映された値に調節するよう処理する。
【００２１】
制御部１００、情報収集部１０２、音量制御部１１２の動作は、メモリー部１１４に貯蔵された特定のソフトウェアモジュール（命令語セット）によって実行されてもよい。この際、ソフトウェアモジュールは、制御部１００によって実行され得る。
即ち、制御部１００、情報収集部１０２、音量制御部１１２の動作は、ソフトウェア又はハードウェアに構成してもよい。また、情報収集部１０２、音量制御部１１２をそれぞれの制御部として定義し得る。加えて、制御部１００をプロセッサとして定義し、情報収集部１０２、音量制御部１１２を更に他のプロセッサとして定義し得る。
【００２２】
メモリー部１１４は、ＲＯＭ、ＲＡＭ、ＦｌａｓｈＲＯＭ等で構成される。
ＲＯＭは、制御部１００、情報収集部１０２、音量制御部１１２の処理及び制御のためのプログラムのマイクロコードと各種の参照データを貯蔵する。
ＲＡＭは、制御部１００のワーキングメモリであり、各種プログラムを行う際に発生する一時的なデータ貯蔵する。
また、ＦｌａｓｈＲＯＭは、電話番号簿、発信メッセージ及び受信メッセージのような更新可能な各種保管用データを貯蔵する。
加えて、メモリー部１１４は、本発明によって周辺の騒音量によって制御すべき音量に対する情報を意味する制御情報１１６を貯蔵する。
メモリー部１１４は、本発明によって制御部１００、情報収集部１０２、音量制御部１１２の動作を行うようにソフトウェアモジュールを貯蔵する。
【００２３】
入力部１１８は、０〜９の数字キーボタンと、メニュボタン、キャンセルボタン、確認ボタン、通話ボタン、終了ボタン、インターネットアクセスボタン、ナビゲーションキー（又は方向キー）ボタン、及び文字入力キーなど複数の機能キーを具備し、使用者が押すキーに対応するキー入力データを制御部１００に提供する。
【００２４】
表示部１２０は、携帯用端末機の動作の途中で発生する状態情報、文字、多量の動画、及び静止画像などを表示するものであり、本発明によってメッセージに含まれたデータのうち自分に許容されたフレームに該当するデータのみを表示する。
表示部１２０としては、カラー液晶ディスプレイ装置（ＬＣＤ）、ＡＭＯＬＥＤなどを使用してもよく、表示部１２０にタッチ入力装置を具備してタッチ入力方式の携帯用端末機に適用する場合、入力装置として使用され得る。
【００２５】
通信部１２２は、アンテナ（図示せず）を介して入出力されるデータの無線信号を送受信処理する機能を行う。
例えば、送信である場合、送信するデータをチャンネルコーディング（Ｃｈａｎｎｅｌ  ｃｏｄｉｎｇ）及び拡散（Ｓｐｒｅａｄｉｎｇ）した後、ＲＦ処理して送信する機能を行い、受信である場合、受信したＲＦ信号を基底帯域信号に変換し、基底帯域信号を逆拡散（Ｄｅ−ｓｐｒｅａｄｉｎｇ）及びチャンネル復号（Ｃｈａｎｎｅｌ  ｄｅｃｏｄｉｎｇ）してデータを復元する機能を行う。
【００２６】
情報収集部１０２及び音量制御部１１２の役割は、携帯用端末機の制御部１００によって行われてもよいが、本発明でこれを別途に構成して示したのは説明の便宜のための例示的な構成であって決して本発明の範囲を制限しようとするものではなく、当業者であれば本発明の範囲内で多様な変形構成が可能であることを理解できるはずである。例えば、これら全てを制御部１００で処理するように構成してもよい。
【００２７】
図２は、本発明の一実施形態による携帯用端末機におけるすでに設定された音量を周辺の騒音によって調節するための工程を説明するためのフローチャートである。
図２を参照すると、携帯用端末機は、まずステップＳ２０１で周辺の騒音の程度を判断するのに使用する情報である騒音判断情報を収集する。
【００２８】
ここで、周辺騒音とは、携帯用端末機から出力されるオーディオ、通話音などを聴音することを妨害する要素であり、騒音判断情報はマイクを介して入力される周辺の騒音、気象情報サーバーを介して取得する天気情報、車両の状態、種類などであってもよい。
これは、高速で移動する車両では、騒音が発生し、雨の降る音なども聴音を妨害する可能性があり、車両の種類によっても騒音が発生し得るためである。
【００２９】
次に、携帯用端末機はステップＳ２０３に進行し、ステップＳ２０１で収集した騒音判断情報を利用して周辺の騒音量を予想した後、ステップＳ２０５に進行して制御情報をローディングする。
ここで、制御情報とは周辺の騒音量（騒音情報）によって制御すべき音量に対する情報である。
一例として、制御情報は、騒音を複数の段階に区分し、それぞれの段階ごとに互いに異なる大きさで音量を調節するようにしてもよい。
加えて、制御情報は天気を区分し、それぞれの天気ごとに互いに異なる大きさで音量を調節するようにしてもよい。それだけではなく、制御情報は、車両の種類、移動速度などを複数の段階に区分し、それぞれの段階ごとに互いに異なる大きさで音量を調節するようにしてもよい。
【００３０】
次に、携帯用端末機はステップＳ２０７に進行し、携帯用端末機の周辺で発生する騒音量（騒音情報）に基づく制御すべき音量の制御情報を確認した後、ステップＳ２０９に進行して制御情報に合うように音量を調節するよう処理する。
即ち、携帯用端末機は周辺の騒音によってすでに設定されている音量を増加させるか、周辺の騒音が除去された状態になった場合、変更された音量を復元させるよう処理してもよい。
【００３１】
加えて、携帯用端末機は、ステップＳ２０９で制御情報に合うように音量を調節した後、使用者による音量調節要請が発生したか否かを確認する。
これは制御情報によって調節された音量に満足できない場合、使用者がボリュームボタン又は音声制御を利用して音量を再調節する情報が発生し得るためである。
もし、使用者による音量調節要請が発生した場合、携帯用端末機は使用者の要請に応じて音量を調節する。加えて、携帯用端末機は使用者によって調節される音量に対応する情報を制御情報に反映し、今後同じ条件で音量を調節する際、使用者の要請が反映された値に調節するように処理する。
次に、携帯用端末機は本アルゴリズムを終了する。
【００３２】
図３は、本発明の他の実施形態による携帯用端末機におけるすでに設定されている音量を周辺の騒音によって調節するための工程を説明するためのフローチャートである。
図３を参照すると、携帯用端末機は、まずステップＳ３０１で周辺の騒音を入力することができるマイクを動作させた後、ステップＳ３０３に進行してマイクを介して周辺の騒音を入力する。
【００３３】
次に、携帯用端末機はステップＳ３０５に進行し、現在入力された騒音を利用して周辺の騒音量（騒音情報）を予想する。この際、携帯用端末機はマイクを介して入力された周辺騒音の大きさを利用し、入力された騒音が使用者の聴音を妨害するのか否かを確認する。
【００３４】
次に、携帯用端末機はステップＳ３０７に進行し、制御情報を読み込む。
ここで、制御情報とは周辺の騒音量に対応して制御すべき音量に対する情報をいい、騒音量を複数の段階に区分し、それぞれの段階ごとに互いに異なる大きさに音量を調節するようにしてもよい。この際、騒音量によって調節される音量は、使用者の聴音が妨害されない範囲に音量が調節されるのである。
【００３５】
次に、携帯用端末機はステップＳ３０９に進行し、読み込んだ制御情報と予測した騒音量（騒音情報）を比較した後、携帯用端末機の周辺で発生する騒音に聴音が妨害されないようにするために制御すべき音量の制御情報を確認した後、ステップＳ３１１に進行して制御情報に合うように音量を調節するように処理する。
次に、携帯用端末機は本アルゴリズムを終了する。
【００３６】
図４は、本発明の好ましい更に他の実施形態による携帯用端末機におけるすでに設定されている音量を周辺の騒音によって調節するための工程を説明するためのフローチャートである。
図４を参照すると、携帯用端末機は、まずステップＳ４０１で周辺の騒音の程度を判断するのに使用する情報である騒音判断情報を収集する。
【００３７】
ここで、周辺の騒音とは、上述したように携帯用端末機から出力されるオーディオ、通話音などを聴音することを妨害する要素であり、騒音判断情報はマイクを介して入力される周辺の騒音、気象情報サーバーを介して取得する天気情報、車両の状態、種類などであってもよい。
これは、高速で移動する車両では騒音が発生し、雨の降る音なども聴音を妨害する可能性があり、車両の種類によっても騒音が発生し得るためである。
【００３８】
次に、携帯用端末機はステップＳ４０３に進行し、ステップＳ４０１で収集した騒音判断情報を利用して周辺の騒音量を予想した後、ステップＳ４０５に進行して騒音が除去された状態であるのかを確認する。
ここで騒音が除去された状態とは、騒音が発生しないか聴音を妨害しない程度の騒音が発生する状況をいう。
もし、ステップＳ４０５で騒音が除去されていない状態であることを確認した場合、携帯用端末機はステップＳ４０９に進行し、騒音量に対する制御情報を利用して音量を調節するよう処理する。
即ち、ステップＳ４０９は、上述した図２〜図３に対する動作になる。
【００３９】
一方、ステップＳ４０５で騒音が除去された状態であることを確認した場合、携帯用端末機はステップＳ４０７に進行して調節された音量を復元した後、本アルゴリズムを終了する。
【００４０】
図５は、本発明の一実施形態による携帯用端末機におけるすでに設定されている音量を周辺の騒音によって調節するための工程を示す図である。
図５を参照すると、携帯用端末機５００は、マイク５０３を介して入力した騒音を利用して音量を調節するよう処理する。
【００４１】
これは、携帯用端末機が、周辺の騒音が激しい工事現場や多くの人々が集まる市場に位置するなどの場合、使用者は周辺の騒音、又は周辺の人々による音声によって通話音、受信音、アラームなどのような端末の出力音を認知できないという問題点を解決するためである。
一般的な携帯用端末機は、出力音を認知するために具備されたボリュームキーを操作して音量を増加させ得るが、本発明では携帯用端末機が周辺の騒音を予測し、それに基づいて出力音を認知し得る程度に自動的に音量を増加させ得る。
【００４２】
上記のような動作を行うための携帯用端末機５００は、まず参照符号（ａ）のようにマイク５０３を動作させた後、マイクを介して周辺で騒音が発生しているのかを確認する。
この際、携帯用端末機５００は、マイク５０３を介して聴音に妨害となる情報が入力（５０５）された場合、騒音が発生したと判断（５０７）する。
マイクを介して入力した情報を利用して周辺で騒音が発生していることを判断した携帯用端末機５００は、音量を増加させて聴音効果を増加させ得る。
【００４３】
即ち、携帯用端末機５００は、音量を増加させ得る全ての項目の設定を増加させ得る。
これは参照符号（ｂ）に示すように、携帯用端末機５１０は、ボリューム調節項目で支援する通話音、アラーム音、効果音、着信音などの大きさを同時に増加（５１２→５１４）させる。
【００４４】
また、携帯用端末機５００は、現在実行中の機能に対する音量だけを増加させてもよい。
これは参照符号（ｃ）に示すように、携帯用端末機５２０は、音楽ファイルを再生する際、メディアプレイヤーの出力音の大きさのみを増加（５２２→５２４）させる。
【００４５】
図５ではマイク５０３を介して周辺で騒音が発生しているのかを確認したが、携帯用端末機５００でマイク５０３を動作させることは電力を消費する恐れがある。
従って、携帯用端末機５００は、端末機が移動中であることを把握（５０１）した場合に、マイク５０３を動作させて周辺の騒音に対応した音量に調節してもよい。これは、使用者が移動する途中である場合、移動速度又は移動手段によっては聴音に妨害となる騒音が発生し得るという事柄を考慮したものである。
【００４６】
図６は、本発明の好ましい他の実施形態による携帯用端末機におけるすでに設定されている音量を周辺の騒音によって調節するための工程を示す図である。
図６を参照すると、携帯用端末機６００は、気象情報を利用して音量を調節するよう処理する。
【００４７】
これは雨、雷、稲妻のような気象状態によって使用者が通話音、受信音、アラームなどのような端末機の出力音を認知できないという問題点を解決するためのものである。
上記のような動作を行うために、携帯用端末機６００は、現在位置に対する気象情報を取得する。この際、携帯用端末機６００は、参照符号（ａ）のように気象情報を提供するアプリケーション６０２を利用し、現在地域の気象情報を確認（６０４）する。
【００４８】
もし、図に示すように現在地域に雨が降っていることが把握された場合、携帯用端末機６００は、雨の降る音が聴音に妨害になる騒音として発生したと判断する。
これによって、携帯用端末機６００は、雨の降る音によって聴音が妨害されないよう、すでに設定されている携帯用端末機の音量を増加させる。
即ち、携帯用端末機６００は、音量を増加させ得る全ての項目の設定を増加させる。
これは参照符号（ｂ）に示すように、携帯用端末機６１０は、ボリューム調節項目で支援する通話音、アラーム音、効果音、着信音などの大きさを同時に増加（６１２→６１４）させる。
【００４９】
また、携帯用端末機６００は、現在実行中の機能に対する音量のみを増加させてもよい。これは参照符号（ｃ）に示すように、携帯用端末機６２０は音楽ファイルを再生する際、メディアプレイヤーの出力音の大きさのみを増加（６２２→６２４）させる。
これによって、携帯用端末機６００の使用者は、別途の操作工程なしに雨の降る音に聴音を妨害されなくなる。
【００５０】
図７は、本発明の好ましい更に他の実施形態による携帯用端末機におけるすでに設定されている音量を周辺の騒音によって調節するための工程を示す図である。
図７を参照すると、携帯用端末機７００は、移動速度を利用して音量を調節するよう処理する。
【００５１】
これは使用者が速く歩く状況、走る状態では使用者が通話音、受信音、アラームなどのような端末機の出力音を認知できないという問題点を解決するためのものである。
もちろん、携帯用端末機の使用者が走るか歩く場合でも、周辺の騒音が発生しない可能性もある。しかし、使用者が走るか歩く場合、出力音に対する使用者の認知能力が落ちる恐れがあるため、本発明を利用して端末機の出力音を認知することができないという問題点を解決し得る。
加えて、使用者が大衆交通を利用して移動する場合、周辺の騒音よって使用者が通話音、受信音、アラームなどのような端末機の出力音を認知できないという問題点を解決するためのものである。
【００５２】
上記のような動作を行うための携帯用端末機７００は、端末機の移動速度を把握する。
この際、携帯用端末機は参照符号（ａ）のようにＧＰＳ情報を利用（７０２）し、端末機の移動速度を把握（７０４）するか、基地局から提供される情報を利用して端末機の移動速度を把握し得る。
【００５３】
もし、図に示すように現在車両を介して８０ｋｍ／ｈの速度で移動していることが確認された場合、携帯用端末機７００は高速移動による騒音が発生すると判断する。
これによって、携帯用端末機７００は、高速移動によって聴音が妨害されないよう、すでに設定されている携帯用端末機の音量を増加させ得る。
即ち、携帯用端末機７００は、音量を増加させ得る全ての項目の設定を増加させる。
これは参照符号（ｂ）に示すように、携帯用端末機７１０はボリューム調節項目で支援する通話音、アラーム音、効果音、着信音などの大きさを同時に増加（７１２→７１４）させる。
【００５４】
また、携帯用端末機７００は、現在実行中の機能に対する音量のみを増加させてもよい。これは参照符号（ｃ）に示すように、携帯用端末機７２０は音楽ファイルを再生する際、メディアプレイヤーの出力音の大きさのみを増加（７２２→７２４）させる。
これによって、携帯用端末機７００の使用者は、別途の操作工程なしで高速移動によって発生する騒音に聴音を妨害されなくなる。
【００５５】
図８は、本発明の好ましい更に他の実施形態による携帯用端末機におけるすでに設定されている音量を周辺の騒音によって調節するための工程を示す図である。
図８を参照すると、携帯用端末機８００は車両の状態を利用して音量を調節するよう処理する。
【００５６】
これは、車両の種類によって発生する騒音の程度が異なるということを利用することである。一例として、ガソリン燃料を使用する車両よりディーゼル燃料を使用する車両のほうが騒音がより多く発生し、乗用車より乗合自動車のほうが騒音がより多く発生し得る。
【００５７】
上記のように車両の種類を把握するための携帯用端末機は、使用者が搭乗した車両の情報を確認しなければならない。
この際、携帯用端末機８００は参照符号（ａ）のように車両の電子制御ユニット８０２と通信し、車両の情報を受信する。
【００５８】
もし、図に示すように、年式が古いディーゼル乗合自動車であることが確認（８０４）された場合、携帯用端末機８００は車両の内部に騒音が発生すると判断する。
これによって、携帯用端末機８００は車両の内部で発生する騒音によって聴音が妨害されないよう、すでに設定されている携帯用端末機の音量を増加させる。
即ち、携帯用端末機８００は、音量を増加させ得る全ての項目の設定を増加させる。
これは参照符号（ｂ）に示すように、携帯用端末機８１０はボリューム調節項目で支援する通話音、アラーム音、効果音、着信音などの大きさを同時に増加（８１２→８１４）させる。
【００５９】
また、携帯用端末機８００は、現在実行中の機能に対する音量のみを増加させ得る。これは参照符号（ｃ）に示すように、携帯用端末機８２０は音楽ファイルを再生する際、メディアプレイヤーの出力音の大きさのみを増加（８２２→８２４）させる。
これによって、携帯用端末機８００の使用者は、別途の操作工程なしで車両の内部で発生する騒音に聴音を妨害されなくなる。
【００６０】
図９は、本発明の好ましい更に他の実施形態による携帯用端末機におけるすでに設定されている音量を周辺の騒音によって調節するための工程を示す図である。
図９を参照すると、携帯用端末機９００は、車両の動作状態を利用して音量を調節するよう処理する。
【００６１】
これは、車両で動作する機能によって発生する騒音の程度が異なるということを利用するものである。一例として、車両でワイパーが動作する場合、携帯用端末機にはワイパーの動作による騒音が更に発生し得る。
加えて、車両で動作している機能によって車両の内部又は外部で発生する騒音を把握する。一例として、車両でオーディオが動作している場合、携帯用端末機はオーディオの出力音が車両内部の騒音として作用し得るということを把握し、車両でワイパーが動作する場合、携帯用端末機は現在雨が降っていて雨の降る音が騒音として作用し得るということを把握する。
【００６２】
上記のように車両で動作する機能を把握するための携帯用端末機９００は、使用者が搭乗した車両の情報を確認しなければならない。
この際、携帯用端末機９００は参照符号（ａ）のように車両の電子制御ユニット９０２と通信し、車両の情報を受信し得る。
もし、図に示すようにワイパーが最高速度で動作していることが確認（９０４）された場合、携帯用端末機８００は、雨が降っているという気象情報を確認し、ワイパーの動作による騒音が発生すると判断する。
【００６３】
これによって、携帯用端末機９００は、車両の内部で発生する騒音によって聴音が妨害されないよう、すでに設定されている携帯用端末機の音量を増加させる。
即ち、携帯用端末機９００は、音量を増加させ得る全ての項目の設定を増加させる。これは参照符号（ｂ）に示すように、携帯用端末機９１０は、ボリューム調節項目で支援する通話音、アラーム音、効果音、着信音などの大きさを同時に増加（９１２→９１４）させる。
【００６４】
また、携帯用端末機９００は、現在実行中の機能に対する音量のみを増加させてもよい。これは参照符号（ｃ）に示すように、携帯用端末機９２０は音楽ファイルを再生する際、メディアプレイヤーの出力音の大きさのみを増加（９２２→９２４）させる。
これによって、携帯用端末機９００の使用者は、別途の操作工程なしで車両の内部で発生する騒音に聴音を妨害されなくなる。
【００６５】
本発明の請求項及び／又は明細書に記載された実施形態による方法は、ハードウェア、ソフトウェア又はハードウェアとソフトウェアの組み合わせの形態で具現され（ｉｍｐｌｅｍｅｎｔｅｄ）てもよい。
ソフトウェアで具現する場合、一つ以上のプログラム（ソフトウェアモジュール）を貯蔵するコンピュータ判読可能記録媒体が提供されてもよい。コンピュータ判読可能記録媒体に記録される一つ以上のプログラムは、携帯用端末機のような電子装置内の一つ以上のプロセッサによって実行可能であるように構成される。一つ以上のプログラムは、電子装置によって本発明の請求項及び／又は明細書に記載された実施形態による方法を実行するようにする命令語（ｉｎｓｔｒｕｃｔｉｏｎ）を含む。
【００６６】
このようなプログラム（ソフトウェアモジュール、ソフトウェア）は、ＲＡＭ（ｒａｎｄｏｍ  ａｃｃｅｓｓ  ｍｅｍｏｒｙ）、フラッシュ（ｆｌａｓｈ）メモリーを含む不揮発性（ｎｏｎ−ｖｏｌａｔｉｌｅ）メモリー、ＲＯＭ（Ｒｅａｄ  ｏｎｌｙ  Ｍｅｍｏｒｙ）、電気的にデータの削除や書き換えが可能なＲＯＭ（ＥＥＰＲＯＭ，Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、磁気ディスク記録装置（ｍａｇｎｅｔｉｃ  ｄｉｓｃ  ｓｔｏｒａｇｅ  ｄｅｖｉｃｅ）、ＣＤ−ＲＯＭ（Ｃｏｍｐａｃｔ  Ｄｉｓｃ−ＲＯＭ）、ＤＶＤ（Ｄｉｇｉｔａｌ  Ｖｅｒｓａｔｉｌｅ  Ｄｉｓｃｓ）、又は他の形態の光学記録装置、マグネチックカセット（ｍａｇｎｅｔｉｃ  ｃａｓｓｅｔｔｅ）に格納してもよい。または、これらの一部又は全部の組み合わせで構成されたメモリーに格納してもよい。また、それぞれの構成メモリーは複数個含まれてもよい。
【００６７】
また、電子装置にインターネット、イントラネット（Ｉｎｔｒａｎｅｔ）、ＬＡＮ（Ｌｏｃａｌ  Ａｒｅａ  Ｎｅｔｗｏｒｋ）、ＷＬＡＮ（Ｗｉｄｅ  ＬＡＮ）、又はＳＡＮ（Ｓｔｏｒａｇｅ  Ａｒｅａ  Ｎｅｔｗｏｒｋ）のような通信ネットワーク、又はこれらの組み合わせで構成された通信ネットワークを介してアクセスし得る付着可能な（ａｔｔａｃｈａｂｌｅ）記録装置（ｓｔｏｒａｇｅ  ｄｅｖｉｃｅ）に格納されてもよい。このような記録装置は、外部ポートを介して電子装置に接続され得る。
【００６８】
また、通信ネットワーク上の別途の記録装置が携帯用電子装置に接続されてもよい。
一例として、一つ以上のプロセッサ、メモリー、及びメモリーに貯蔵され一つ以上のプロセッサによって実行されるよう構成される一つ以上のモジュールを含む電子装置のモジュールは、周辺の騒音の程度を判断するのに使用する情報である騒音判断情報を収集し、収集した情報を利用して周辺の騒音を予測し、予測された周辺の騒音によって音量を調節し得る。
【００６９】
加えて、電子装置のモジュールは、周辺の騒音によって音量を調節した後、周辺の騒音が除去されると調節した音量を復元させ得る。
加えて、電子装置のモジュールは、周辺の騒音量によって制御すべき音量に対する情報を定義した制御情報を読み込み、制御情報から予測した騒音情報に合う音量を確認して音量を調節し得る。
加えて、電子装置のモジュールは、マイクを介して入力される周辺の騒音、気象情報サーバーを介して取得する天気情報、車両の状態及び種類、移動速度の内の少なくともいずれか一つを騒音判断情報として使用し得る。
加えて、電子装置のモジュールは、周辺の騒音によって音量を調節した後に音量調節要請を感知した場合、使用者の要請に対応する音量に調節し、使用者の要請に対応する音量に制御情報を更新し得る。
加えて、電子装置のモジュールは周辺の騒音によって音量調節が可能な項目を同時に調節するか、又は現在実行中の機能に対する音量のみを調節し得る。
【００７０】
上述したように、本発明は携帯用端末機において、相手使用者の音声信号を明確に受信するために周辺の騒音の発生程度によって自動的に音量を調節し、周辺の雑音に関係なく出力音を明確に聴取し得る。
【００７１】
尚、本発明は、上述の実施形態に限られるものではない。本発明の技術的範囲から逸脱しない範囲内で多様に変更実施することが可能である。
【符号の説明】
【００７２】
１００    制御部
１０２    情報収集部
１０４    天気情報収集部
１０６    車両情報収集部
１０８    周辺騒音収集部
１１０    位置情報収集部
１１２    音量制御部
１１４    メモリー部
１１６    制御情報
１１８    入力部
１２０    表示部
１２２    通信部
【図１】
0006006082.tif 000002
【図２】
0006006082.tif 000003
【図３】
0006006082.tif 000004
【図４】
0006006082.tif 000005
【図５】
0006006082.tif 000006
【図６】
0006006082.tif 000007
【図７】
0006006082.tif 000008
【図８】
0006006082.tif 000009
【図９】
0006006082.tif 000010